(57)【要約】      （修正有）【課題】思い出品を分類別に仕分けすることで、片づけを効率的に進めることができ、さらに片づけ後の分類の識別がしやすいラベルを提供する。【解決手段】仕分けラベルは、剥離紙に複数貼着され、思い出品の分類別にデザインを施した仕分けラベル（１〜１６）が表面に記載されていることを特徴とする。【選択図】図１
2019023713.tif 000002
【特許請求の範囲】
【請求項１】
剥離紙に複数粘着され、
利用者が思い出品を片づける際に分類に応じた種類のラベルが表面に記載されていることを特徴とする仕分けラベル。
【請求項２】
前記仕分けラベルの表面には思い出品の分類別に色分けされていることを特徴とする請求項１記載の仕分けラベル。
【請求項３】
前記仕分けラベルの表面には思い出品の分類別にデザインされていることを特徴とする請求項１または請求項２記載の仕分けラベル。
【請求項４】
前記仕分けラベルの粘着部分は再剥離できることを特徴とする請求項１から３のいずれかの項に記載の仕分けラベル。
【発明の詳細な説明】
【技術分野】
【０００１】  本発明は、思い出品を分類別に仕分けすることで、片づけを効率的に進めることができ、さらに片づけ後の分類の識別がしやすいラベルに関するものである。
【背景技術】
【０００２】  紙を基材とした色付きや利用者が書き込める表面側と裏面側に粘着剤層が形成されてなる、各種表示を目的とした粘着ラベルシール（本発明では、これらを粘着ラベル類と総称する）が知られており、様々な分野で用いられている。
従来、粘着ラベル類は、汎用性に富んでいるが、思い出品の片づけに適したものはなかった。昨今、断捨離やミニマリストなど所有物を減じて快適な生活を求める動きが盛んである。日用品や衣料品などの片づけは、使用しているかそうでないかを処分の判断基準とする。ただし思い出品については、その基準を適用できないため、処分が最も困難になっている。思い入れがある、捨てると後悔するのではないかという心理的な要因から手付かずになり、結果的にモノが溢れて居住スペースを圧迫する問題が生じている。なお、本願では、愛用品、遺品、成長記録、趣味品など思い入れのある物品を「思い出品」と呼ぶものとする。
【発明の概要】
【発明が解決しようとする課題】
【０００３】従来の粘着ラベル類は色によって利用者が判別できるものや直接ラベルに書き込むものがあったが、思い出品の片づけに用いるには、以下の欠点があった。
（１）思い出品の分類（捨てる、残す、人に譲るなど）はいくつか考えられるが、利用者が考えなければならなかった。
（２）色付きの粘着ラベル類は、あとで色分けの意味を失念したり、分類の意味を書いたメモなどを紛失すると混乱をきたすことがあった。
（３）書き込める粘着ラベル類は、自分で分類を書き込まなければならず、数が多いと労力を要した。
（４）効率的な片づけには、分類による仕分けが有効であるにも関わらず、上記（１）から（３）を理由にそれを活用しようと考える人が少なかった。
本発明が解決しようとする課題は、思い出品の片づけに関わる仕分けを効率的に進めること、仕分けたあとでも直感的に識別できるラベルを提供することである。
【課題を解決するための手段】
【０００４】本発明の仕分けラベルは、剥離紙に複数貼着され、思い出品の分類別にデザインを施した仕分けラベル（１〜１６）が表面に記載されている。【０００５】ラベルの種類は利用者の判断を反映できるが、多すぎると利用者が混乱するため最も適当な数を用意している。【０００６】ラベルは分類別に色分けしており、あとで確認する際に識別しやすくなり、誤認を防ぐことができる。【０００７】ラベルは分類別にデザインが異なっており、あとで確認する際に直感的に識別しやすくなり、誤認を防ぐことができる。【０００８】ラベルの粘着部分は再剥離できる。分類を容易に見直して別ラベルに変更したり、ラベルが不要になった際にはがしても跡が残ることがない。【０００９】ラベルは、高齢者がより取扱いやすく、識別も容易になサイズにしている。
【発明の効果】
【００１０】本発明には次の効果を奏する。
（１）本発明の仕分けラベルは、利用者が整理の分類ごとに貼ることで、仕分けがはかどり、思い出品の片づけを容易にすることができる。
（２）仕分けラベルは利用者の思い出品についての利用者の意思を反映することができるので、利用者が亡くなった場合でもそのモノの扱いについて、口頭やメモ書きなどを用いる手間を要せずに、家族や知人に伝えることができる。
（３）仕分けラベルは分類別に色分けされているので、あとで識別しやすく、誤認を防ぐことができる。
（４）仕分けラベルは分類別にデザインが異なるので、あとで識別しやすく、誤認を防ぐことができる。
（５）仕分けラベルの粘着部分は再剥離可能である。分類見直しにより、別ラベルに変更したり、ラベルが不要になった際にはがしても跡が残ることがない。
【図面の簡単な説明】
【００１１】
【図１】本発明の思い出の仕分け用のラベルである。
【発明の実施形態】
以下、本発明の実施形態について説明する。
図１は本発明の第１の実施の形態の思い出品の仕分けラベルの正面図である。図１に示すように、本発明の仕分けラベル１は、剥離紙２に所定間隔置きに複数枚が粘着された紙製の１０〜３０ｍｍの丸型ラベルで再剥離が可能なシールを使用している。いったん貼った仕分けラベルを別の分類に見直す際にきれいにはがすことができる。またラベルが不要になった際にはがしても跡が残ることがない。
【００１２】本ラベルを貼った際、仕分けラベル１はデザイン部１ａや背景部１ｂの色やデザインを工夫することで、識別しやすく誤認を防止することができる。
【００１３】仕分けラベル１は、思い出品の分類を仕分けラベル３〜１６で構成している。
【００１４】仕分けラベル３は、形見として親しい人に引き継ぎたい場合に使用する。
【００１５】仕分けラベル４は、買取り業者に査定させたい場合に使用する。
【００１６】仕分けラベル５は、寄付したい場合に使用する。
【００１７】仕分けラベル６は、葬儀の際に棺桶に入れたい場合に使用する。
【００１８】仕分けラベル７は、捨てることを念押ししたい場合に使用する。
【００１９】仕分けラベル８は、お焚き上げ供養などで処分したい場合に使用する。
【００２０】仕分けラベル９は、重要であると区別したい場合に使用する。
【００２１】仕分けラベル１０は、仕分け判断がつかず、いったん保留する場合に使用する。
【００２２】仕分けラベル１１は、自分の遺影としたい場合に使用する。
【００２３】仕分けラベル１２は、写真などでデジタル保管しその後処分したい場合に使用する。
【００２４】仕分けラベル１３は、フリーマーケットやオークションに出品したい場合に使用する。
【００２５】仕分けラベル１４は、思い出品の中で最も大切に保管したい場合に使用する。
【００２６】仕分けラベル１５は、思い出品の中で、仕分けラベル１４の次に大切に保管したい場合に使用する。
【００２７】仕分けラベル１６は、思い出品の中で、仕分けラベル１５の次に大切に保管したい場合に使用する。
本発明は、以上のような構造である。
本発明を使用するときは、思い出品の分類に応じて仕分けラベル（３〜１６）を選択する。
剥離紙２からをはがして、物品に貼り付ける。個別に貼るページのあるものは裏表紙の右下、まとめる場合は、箱や机の引き出しの右下などラベルの定位置を決めると、あとで識別しやすい。
【符号の説明】
【００２８】  １    仕分けラベル
１ａ  仕分けラベル背景部
１ｂ  仕分けラベルデザイン部
２    剥離紙
３    仕分けラベル
４    仕分けラベル
５    仕分けラベル
６    仕分けラベル
７    仕分けラベル
８    仕分けラベル
９    仕分けラベル
１０    仕分けラベル
１１    仕分けラベル
１２    仕分けラベル
１３    仕分けラベル
１４    仕分けラベル
１５    仕分けラベル
１６    仕分けラベル
【図１】
2019023713.tif 000003